(57)【要約】【課題】  効率が高く、使用寿命を延長でき、安定温度の熱湯を提供できる熱湯装置の改良結構を提供する。【解決手段】  熱交換器１は、第一パス１１および第二パス１２が設けられ、第二パス１２および第一パス１１が接続されている。燃焼器２は、第一パス１１に取り付けられている。送風式の扇風機３は、出口を持ち、燃焼器２に接続され、空気を強制的に燃焼器２へ送る。貯水タンク１４は、熱交換器１の外囲に囲繞する。それで、燃焼器２が点火するときに、送風式の扇風機３が作動され、空気を強制的に燃焼器２へ送り、それから、燃焼の気体が第一パス１１へ流れて、第二パス１２から流れ出す。【選択図】    図１
2005249356.tif 000002
【特許請求の範囲】
【請求項１】
熱湯装置の構造であって、
熱交換器には第一パスおよび第二パスが設けられ、第二パスおよび第一パスが接続され、
燃焼器は第一パスに取り付けられ、
送風式の扇風機は出口を持ち、燃焼器に接続され、空気を強制的に燃焼器へ送り、
貯水タンクは熱交換器の外囲に囲繞し、
燃焼器が点火するときに、送風式の扇風機が作動され、空気を強制的に燃焼器へ送り、燃焼の気体が第一パスへ流れて、第二パスから流れ出すことを特徴とする熱湯装置の構造。
【請求項２】
トッププレートが設置され、第一パスに取り付けられることを特徴とする請求項１記載の熱湯装置の構造。
【請求項３】
貯水タンクが設置され、交換器の外囲に取り付けられることを特徴とする請求項１記載の熱湯装置の構造。
【請求項４】
複数の焔管が、第二パスに取り付けられることを特徴とする請求項１記載の熱湯装置の構造。
【請求項５】
第一パスは、交換器の内部に設置され、第二パスは交換器の外部に設置されることを特徴とする請求項１記載の熱湯装置の構造。
【請求項６】
送風式の扇風機があり、送風式の扇風機の入口が上述の第二パスに接続され、燃焼の気体が第二パスから抜かれることを特徴とする請求項１記載の熱湯装置の構造。
【請求項７】
焔管には、止め板が配置され、燃焼気体の流速を低降させることを特徴とする請求項１記載の熱湯装置の構造。
【請求項８】
排気室があり、排気室は第二パスの上方に設置されることを特徴とする請求項１記載の熱湯装置の構造。
【請求項９】
貯水タンクは、熱交換器の底部を覆って、水の入口があることを特徴とする請求項１記載の熱湯装置の構造。
【請求項１０】
貯水タンクは、凹入の内底が設けられることを特徴とする請求項１記載の熱湯装置の構造。
【発明の詳細な説明】
【技術分野】
【０００１】
本発明は、熱湯装置に関するものであり、特に、連続で安定温度の熱湯を提供でき、圧力のにわかに低降する現象がないというものを指す。
【背景技術】
【０００２】
従来から、既存の貯水式熱湯装置は、基本的に、本体、本体の中央に設けるバーナーパイプ、バーナーパイプの下方に配置する燃焼器、下へ向かって伸ばされる冷水の入水管および上へ向かって伸ばされる熱湯管などの要素から形成されている。
【発明の開示】
【発明が解決しようとする課題】
【０００３】
でも、そんな熱湯装置は、体積が大き過ぎるので、相当に大きな空間にインストールしなければならない。また、その効率はただ６０％だけで、４０−６０分の時間で加熱しなければならず、水温も調整できない。本発明の目的は、熱湯装置の構造を提供して、前掲の欠陥を免除する。
【課題を解決するための手段】
【０００４】
したがって、本発明の主な目的は、高い効率の熱湯装置の構造を提供することにある。
本発明のもう一つの目的は、熱湯装置の構造を提供することにある。二次空気を燃焼室へ導入し、完全の燃焼まで至る。同時に、内通路内壁面の温度を低降させ、熱湯装置の使用寿命を延長させる。
【０００５】
本発明のもう一つの目的は、熱湯装置の構造を提供することにある。それで、安定温度の熱湯を提供する。
本発明のもう一つの目的は、熱湯装置の構造を提供することにある。それで、二つ又は二つ以上の蛇口を同時に使っても、圧力のにわかに低降する現象がない。
【０００６】
本発明のもう一つの目的は、熱湯装置の構造を提供することにある。それで、自動的に水の垢を清潔にし、水の垢の集積を防ぐ。
本発明のもう一つの目的は、熱湯装置の構造を提供することにある。それで、凝結水が熱交換器の内底に収集される。熱湯装置が作動しているうちに、自動で蒸発され、焔の気体につれて排出される。
【発明を実施するための最良の形態】
【０００７】
本発明の目的、特徴および効果などをご了解なさるために、以下、さらに具体的な実施例を図面にあわせて詳しく説明してみよう。
まずは図１および図２を御覧下さい。本発明の一実施例による熱湯装置の構造１００は、主に、熱交換器１、燃焼器２、送風式の扇風機３、吸い風の扇風機４およびトッププレート５などの要素から形成される。
【０００８】
図３および図４を御覧下さい。熱交換器１は、円筒形の本体であり、中央部分に円筒形のインナーパス１１および環形のアウターパス１２が設けられる。環形のアウターパス１２は、円筒形のインナーパス１１を囲繞する。複数の焔管１３は、環形のアウターパス１２の中に設置される。焔管１３の上方に排気室１５が設けられる。熱交換器１の外側に、貯水のために、貯水タンク１４がある。貯水タンク１４は、熱交換器１の底部を包囲して、内へ凹んでいる底部を具有する。焔管１３毎の内部にすべて複数の止め板１３１を取り付けるので、燃焼気体が焔管１３で流れる流速は遅くなる。燃焼器２は、熱交換器１の円筒形のインナーパス１１の中に取り付けられる。送風式の扇風機３は、熱交換器１の上端にインストールされ、しかも、出口が下へ向かうように伸ばされて連結される燃焼器２が設置される。吸い風の扇風機４も、熱交換器１の上端にインストールされ、しかも、排気室１５に連結される。トッププレート５は、円筒形のインナーパス１１の上端に取り付けられて、複数の二次空気の入口５１が配置される。それで、空気を円筒形のインナーパス１１へ導入する。貯水タンク１４は、冷水の入口１４１に接続される。また、貯水タンク１４の上端に熱湯の出口１４２がある。
【０００９】
燃焼器２を開けて使用する場合に、空気とガスをまず正確な比例で混合したあとで、完全の燃焼を提供するので、有害気体の発生を避ける。そのときに、送風式の扇風機３が作動され、空気を燃焼器２まで輸送し、燃焼作用に必要な大量酸素を供給し、燃焼気体は圧迫されて、円筒形のインナーパス１１に沿って下へ流れる。吸い風の扇風機４も同時に作動されるので、燃焼の気体は焔管１３に沿って上へ抜かれたあとで、排気室１１から排出される。燃焼の気体が焔管１３に沿って流れるときに、止め板１３１が燃焼の気体の流速を低降させる。よって、なるべく燃焼の気体が焔管１３に滞在する時間を延長させ、有効的に燃焼の気体の熱量を焔管１３へ輸送する。焔管１３は、さらに熱量を貯水タンク１４に輸送する。一方、貯水タンク１４が環状のように焔管１３の外囲に囲繞されるので、燃焼の気体の熱量は焔管１３から直接に大気へ発散しない。また、貯水タンク１４が絶縁体だから、貯水タンク１４は外側に単層の非常に厚い熱隔離材料で被覆されることがいらず、製造のコストを低降できる。送風式の扇風機３が作動しているうちに、円筒形のインナーパス１１における気体の流速はアップされ、円筒形のインナーパス１１の中の圧力は低降する。吸入した空気は、二次空気の入口５１から円筒形のインナーパス１１の中に入る。二次空気の入口５１から入った空気は、完全の燃焼を提供するばかりでなく、燃焼気体の温度を低降し、最適当な熱伝導温度も提供し、熱交換器１の寿命を延長させる。その他、冷凝結水は、熱交換器１の内底部に収集され、熱交換器１の使用のときに、自動で蒸発されたあとで、焔気につれて排出される。よって、熱交換器１の外側に、凝結水がなく、凝結水の侵蝕を避ける。
【図面の簡単な説明】
【００１０】
【図１】本発明の一実施例による熱湯装置の構造を示す断面図である。
【図２】本発明の一実施例による熱湯装置の構造を示す上視図である。
【図３】本発明の一実施例による熱湯装置の構造を示す拡大断面図である。
【図４】本発明の一実施例による熱湯装置の構造を示す拡大上視図である。
【符号の説明】
【００１１】
１  熱交換器、２  燃焼器、３  送風式の扇風機、４  吸い風の扇風機、５  トッププレート、１１  円筒形のインナーパス、１２  環形のアウターパス、１３  焔管、１４  貯水タンク、１５  排気室、５１  二次空気の入口、１００  熱湯装置の構造、１３１  止め板、１４１  冷水の入口、１４２  熱湯の出口
【図１】
2005249356.tif 000003
【図２】
2005249356.tif 000004
【図３】
2005249356.tif 000005
【図４】
2005249356.tif 000006